(57)【要約】【課題】パネル支持体とパネルとの間に、大きな物品収容空間を形成することにより、この中に、前後寸法の大きな物品を収容しうるようにし、かつパネルを施錠可能として、収容物品のセキュリティを保ちうるようにする。【解決手段】床面に立設された左右方向を向くパネル支持体５に、スペーサ部材としての上部パネル支持部材６と下部パネル支持部材７を、前方に突出するように設け、この上下のパネル支持部材６、７前面に、パネル１０を、パネル支持体５の前面と平行をなすように取付けることにより、パネル１０とパネル支持体５との対向面間に物品収容空間Ｓを形成し、かつパネル１０に、これを取外し不能に施錠しうる施錠装置４５を設ける。【選択図】  図４
2009019343.tif 000002
【特許請求の範囲】
【請求項１】
床面に立設された左右方向を向くパネル支持体に、スペーサ部材を、前方に突出するように設け、このスペーサ部材の前面にパネルを取付けることにより、パネルと前記パネル支持体との対向面間に物品収容空間を形成し、かつ前記パネルに、これを取外し不能に施錠しうる施錠装置を設けたことを特徴とする間仕切りパネル。
【請求項２】
パネル支持体の前面に、前向きに突出する物品取付部材を、物品収容空間内において上下位置を変更しうるように取付けてなる請求項１記載の間仕切りパネル。
【請求項３】
施錠装置を、キー差込み部がパネルの前面に突出するように、パネルの裏面に取付け、かつ施解錠操作により、施錠装置のデッドボルトが、物品取付部材に係脱することにより、パネルを施解錠しうるようにしてなる請求項２記載の間仕切りパネル。
【請求項４】
スペーサ部材に、パネルを、上方から下方への係止操作により取付けたものにおいて、物品取付部材に、左右１対の箱形突部を設け、いずれか一方の箱形突部の側面に設けた施錠孔に、左右方向に移動するデッドボルトを係脱させることにより、パネルを施解錠しうるようにしてなる請求項３記載の間仕切りパネル。
【請求項５】
パネル支持体の上部と下部に、スペーサ部材としての上部パネル支持部材と下部パネル支持部材を取付け、この上部及び下部パネル支持部材の前端部に、パネル後面の上下の端部を、それらの対向部に設けた係止手段をもって着脱自在に係止してなる請求項１〜４のいずれかに記載の間仕切りパネル。
【請求項６】
上部パネル支持部材を、左右方向を向くとともに、側面視上向きコ字状をなすものとすることより、前記上部パネル支持部材が、物品収容空間の上部を覆いうるカバー部材と、配線トレーとを兼ねるようにしてなる請求項５記載の間仕切りパネル。
【請求項７】
パネル支持体の前面に、左右方向を向く配線ダクトを、物品収容空間内において上下位置を変更しうるように取付けてなる請求項１〜６のいずれかに記載の間仕切りパネル。
【請求項８】
配線ダクトに、上下両方向に開口する配線挿通口を設けてなる請求項７記載の間仕切りパネル。
【請求項９】
物品取付部材の前面と、配線ダクトの前面とを、パネルの後面と当接または近接させてなる請求項２〜８のいずれかに記載の間仕切りパネル。
【発明の詳細な説明】
【技術分野】
【０００１】
本発明は、パネル支持体と、それに取り付けられるパネルとの間に、物品収容空間を設け、かつこの中に収容した物品のセキュリティを保ちうるようにした間仕切りパネルに関する。
【背景技術】
【０００２】
物品収容空間を内部に有する間仕切りパネルとしては、例えば特許文献１及び２に記載されているものがある。
【特許文献１】特開２０００−７３４７７号公報
【特許文献２】特許第３５００３００号公報
【発明の開示】
【発明が解決しようとする課題】
【０００３】
上記特許文献１及び２に記載されている間仕切りパネルにおいては、いずれも、枠状をなすパネル支持体(フレーム)の前後両面にパネルを当接させて取付け、両パネルの対向面と、パネル支持体における左右の支柱の対向面との間の空間を物品収容空間とし、この物品収容空間内に設けた配線ダクトまたはケーブル支持具にケーブル等を載置して収容している。
【０００４】
このように、パネル支持体の前後両面に、パネルを当接させて取付け、かつパネル支持体における左右の支柱の対向面間を物品収容空間とすると、物品収容空間の前後幅が限られるため、例えばパソコンに接続されたルータやハブ等、前後寸法の比較的大きな物品を収容したいときに、それができない。
また、通常、パネルは、間仕切りパネル組立時の作業性に配慮して、フック等の係止手段によりパネル支持体に係止して取り付けられることが多いが、このようにしてパネルを取付けると、意図しない行為やいたずらなどにより、パネルが取り外される恐れがあり、物品収容空間に収容した上記ルータ等、管理が必要な物品のセキュリティが保たれなくなる。
【０００５】
本発明は、上記問題点に鑑みてなされたもので、パネル支持体とパネルとの間に、比較的大きな物品収容空間を形成することにより、この中に、前後寸法の大きな物品を収容しうるようにし、かつパネルを施錠可能として、収容物品のセキュリティを保ちうるようにした間仕切りパネルを提供することを目的としている。
【課題を解決するための手段】
【０００６】
本発明によると、上記課題は、次のようにして解決される。
（１）床面に立設された左右方向を向くパネル支持体に、スペーサ部材を、前方に突出するように設け、このスペーサ部材の前面にパネルを取付けることにより、パネルと前記パネル支持体との対向面間に物品収容空間を形成し、かつ前記パネルに、これを取外し不能に施錠しうる施錠装置を設ける。
【０００７】
（２）上記(１)項において、パネル支持体の前面に、前向きに突出する物品取付部材を、物品収容空間内において上下位置を変更しうるように取付ける。
【０００８】
（３）上記(２)項において、施錠装置を、キー差込み部がパネルの前面に突出するように、パネルの裏面に取付け、かつ施解錠操作により、施錠装置のデッドボルトが、物品取付部材に係脱することにより、パネルを施解錠しうるようにする。
【０００９】
（４）上記(３)項において、スペーサ部材に、パネルを、上方から下方への係止操作により取付けたものにおいて、物品取付部材に、左右１対の箱形突部を設け、いずれか一方の箱形突部の側面に設けた施錠孔に、左右方向に移動するデッドボルトを係脱させることにより、パネルを施解錠しうるようにする。
【００１０】
（５）上記(１)〜(４)項のいずれかにおいて、パネル支持体の上部と下部に、スペーサ部材としての上部パネル支持部材と下部パネル支持部材を取付け、この上部及び下部パネル支持部材の前端部に、パネル後面の上下の端部を、それらの対向部に設けた係止手段をもって着脱自在に係止する。
【００１１】
（６）上記(５)項において、上部パネル支持部材を、左右方向を向くとともに、側面視上向きコ字状をなすものとすることより、前記上部パネル支持部材が、物品収容空間の上部を覆いうるカバー部材と、配線トレーとを兼ねるようにする。
【００１２】
（７）上記(１)〜(６)項のいずれかにおいて、パネル支持体の前面に、左右方向を向く配線ダクトを、物品収容空間内において上下位置を変更しうるように取付ける。
【００１３】
（８）上記(７)項において、配線ダクトに、上下両方向に開口する配線挿通口を設ける。
【００１４】
（９）上記(２)〜(８)項のいずれかにおいて、物品取付部材の前面と、配線ダクトの前面とを、パネルの後面と当接または近接させる。
【発明の効果】
【００１５】
請求項１記載の発明によれば、パネルを、パネル支持体の前面と離間する前方に、スペーサ部材を介して取付け、パネル支持体とパネルとの対向面間に物品収容空間を形成したことにより、この物品収容空間内に、例えばパソコンのルータ等、前後寸法の比較的大きな物品を収容することができる。
また、パネルは、施錠装置により取り外し不能に施錠しうるので、物品収容空間に収容した物品を、セキュリティを保持した状態で管理することができる。
【００１６】
請求項２記載の発明によれば、物品収容空間内において、上下寸法の異なる物品を、物品取付部材に安定よく取付けることができる。
【００１７】
請求項３記載の発明によれば、施錠装置の施解錠操作を、パネルの前面より容易に行いうるとともに、施錠装置のデッドボルトが物品取付部材に係脱して施解錠されるので、物品収容空間内に、デッドボルトが係脱する係脱部材を別途設ける必要がなく、物品収容空間を有効に使用しうる。
【００１８】
請求項４記載の発明によれば、施錠装置のデッドボルトが、左右方向から物品取付部材における箱形突部の側面の施錠孔と係脱するので、施錠時におけるパネルが、前方及び上下方向に動く恐れはなく、従って、例えばパネルが、スペーサ部材に上方から係止させて取付けられたものとしても、これを確実に施錠することができる。
また、物品取付部材の左右の箱形突部間に物品を位置させ、かつ物品の上端部を、左右の箱形突部の上端に取付けることにより、物品を、吊支状態で安定よく支持することができる。
【００１９】
請求項５記載の発明によれば、パネルを、パネル支持体に取付けた上部パネル支持部材と下部パネル支持部材の前端部に、着脱自在に係止したことにより、パネルを解錠した状態において、物品収容空間内への物品の収容作業を、パネルを簡単に取外して行うことができ、作業能率が向上する。
【００２０】
請求項６記載の発明によれば、上部パネル支持部材は、物品収容空間の上部を覆うカバー部材と、配線トレーとを兼ねているので、これらの部材を別途取付ける必要がなく、部品点数を削減することができる。
また、物品収容空間内に収容した物品が、上部パネル支持部材により体裁よく目隠しされるとともに、上部パネル支持部材上にケーブル等を載置して、左右方向に整然と配線することができる。
【００２１】
請求項７記載の発明によれば、配線ダクト上に、例えば物品収容空間に収容したルータ等のケーブルを載置して、左右方向に整然と配線しうるとともに、配線ダクトの上下位置を変更して、ケーブル等の配線方向を上下に変えることができる。
【００２２】
請求項８記載の発明によれば、物品収容空間に収容したルータ等のケーブルを、配線ダクトの配線挿通口を介して、上下方向にも配線しうるので、使い勝手がよくなる。
【００２３】
請求項９記載の発明によれば、パネルが後方に押圧されても、後方に撓んだり、凹んだりする恐れが小さくなる。
【発明を実施するための最良の形態】
【００２４】
以下、本発明の実施形態を、図面に基づいて説明する。
図１は、本発明の間仕切りパネルの一実施形態を備え、机１の後方に近接して設置される間仕切り２の斜視図、図２は、間仕切り２の拡大正面図、図３は、間仕切り２の分解斜視図、図４は、間仕切りパネルの一部切欠き拡大側面図である。
【００２５】
間仕切り２は、机１の高さとほぼ同じ上下寸法の互いに連結された左右２枚の間仕切りパネル３、３と、両間仕切りパネル３の上端にまたがって取付けられた、間仕切り２の左右寸法とほぼ等しい左右寸法の目隠しパネル４(図３においては図示略)とからなっている。
【００２６】
図３及び図４に示すように、左右の各間仕切りパネル３は、床面に立設された左右方向を向くパネル支持体５と、各パネル支持体５の上端部と下端部とに、それぞれ前方に突出させて取付けられた左右１対ずつの上部パネル支持部材６、６及び下部パネル支持部材７、７と、パネル支持体５の上下方向の中間部に、前方に突出させて取付けられた物品取付部材８と、上部パネル支持部材６と物品取付部材８間において、パネル支持体５に、前方に突出させて取付けられた配線ダクト９と、上下のパネル支持部材６、７により支持された鋼板製の前面パネル１０とを備えている。
【００２７】
上下のパネル支持部材６、７は、前面パネル１０を、パネル支持体５の前面より前方に離間させて支持することにより、パネル支持体５と前面パネル１０との間に、通線空間及び物品収納空間を形成するためのスペーサ部材としての機能も有しており、また左右の上部パネル支持部材６、６は、カバー部材と配線トレーの機能をも兼ね備えている。
【００２８】
パネル支持体５は、下端の左右に高さ調整用のアジャスタ１１、１１が取付けられ、かつ互いに対向する内側面と外側面とに、それぞれ上下方向を向く凹溝１２、１３が形成された概ね角管状の左右１対の支柱１４、１４と、左右の支柱１４、１４にまたがって、それらの対向面の凹溝１２の上端と中央部とに左右両端部が挟入され、溶接等により固着された横杆１５、１５とからなっている。各支柱１４の前後両面における外側縁部には、縦長の係合孔１６が多数列設されている。
【００２９】
上記目隠しパネル４は、その両側端部下面に突設した支持杆１７、１７を、最
外方の２本の支柱１４における角形孔に上方より嵌合することにより、左右のパネル支持体５の上端に、取外し可能に取付けられている。
左右のパネル支持体５の後面には、目隠し用の後面パネル１８、１８が取付けられている(図３においては図示略)。
【００３０】
左右の上部パネル支持部材６は、側面視上向きコ字状をなし、左右両側端部の内面には、上向きコ字状をなす１対の係止部材１９、１９が溶接され、その後部側の起立片１９aの上端には、後向き水平の取付片１９bが連設されている。
左右の上部パネル支持部材６における外側の係止部材１９の前端の起立片１９cには、係止手段としての上向き鉤状の係止爪２０が、前向きに突設されている(図４参照)。
【００３１】
図５に示すように、各上部パネル支持部材６は、それらの左右の係止部材１９の取付片１９bを、パネル支持体５における上部の横杆１５の下面にねじ２１により固定することにより、パネル支持体５の前面より前方に突出するように取付けられ、かつ、上部パネル支持部材６、６の対向面間には、上下方向に開口する配線挿通口２２が形成されている(図２、図３参照)。なお、上部パネル支持部材６は、左右方向に長い１個のものとしてもよく、その際には、その左右方向の中間部を切り欠いて開口するなどして、配線挿通口２２を形成すればよい。
【００３２】
左右のパネル支持体５の下端部に取り付けられる左右１対の下部パネル支持部材７、７は、左右対称をなし、支柱１４の対向面の凹溝１２に嵌合可能な平面視内向きコ字状の取付片７aと、その前面の内側縁より前方に突出する垂直平板状の支持片７bとからなり、取付片７aを凹溝１２の下端部に嵌合した状態で、内側方より螺合したねじ２３(図４参照)により、支柱１４の下端部の内側面に固着されている。支持片７bの前端部の上面には、前面パネル１０の下端部を係止して保持する(詳細は後述する)、係止手段としての側面視逆山形状の係止溝２４が形成されている。
【００３３】
上記物品取付部材８は、後面に側面視後向きコ字状の補強杆２５が固着された左右方向を向く基板２６と、この基板２６の両側端部の前面に固着され、かつ外側縁に、下向き鉤状の３個の係止爪２７を後向きに突設してなる左右１対の係止部材２８、２８と、両係止部材２８よりも内方の基板２６の両側部前面に固着された、前方に突出する左右１対の箱形突部２９、２９とからなっている。
【００３４】
左右の箱形突部２９の上面には、物品を固定するためのめねじ孔３０が穿設され、また、右方の箱形突部２９の外側面には、前面パネル１０に設けた後記する施錠装置のデッドボルトが係脱しうる施錠孔３１が穿設されている。
【００３５】
物品取付部材８をパネル支持体５の前面に取付けるには、左右の係止部材２８における３個の係止爪２７を、左右の支柱１４における互いに等高をなす３個の係合孔１６に係合させたのち、図２〜図４に示すように、基板２６の両側端部に穿設された取付孔３２に前方より挿入した止めねじ３３を、各支柱１４の前面に穿設されためねじ孔３５に螺合して締め付ける。
【００３６】
取付後の物品取付部材８における左右の箱形突部２９、２９には、それらの上面のめねじ孔３０を利用して、例えば図２に示すように、パソコンのルータＲ等が、両箱形突部２９間に吊支状態で取り付けられる。
【００３７】
上記配線ダクト９は、図３及び図４に示すように、側面視上向きコ字状をなし、その両側端部の切欠部の内面に溶接された側面視前向きＬ字状の係止部材３６、３６の外側縁には、それぞれ上下２個ずつの下向き鉤状の係止爪３７が、後向きに突設されている。配線ダクト９の左右方向の中間部には、その前部側を一部切り欠くことにより、上下方向に開口する配線挿通口３８が形成されている。
【００３８】
配線ダクト９は、左右の係止部材３６における２個の係止爪３７を、左右の支柱１４における互いに等高をなす上下２個の係合孔１６に係合させることにより、上部パネル支持部材６と物品取付部材８との間のパネル支持体５の前面に、前方に突出するようにして取付けられている。なお、配線ダクト９は、支柱１４に列設された上下の係合孔１６の位置を選択することにより、上下の取付位置を任意に変更することができる。
【００３９】
後面図である図６、及び拡大縦断側面図である図７に詳細を示すように、上記前面パネル１０は、パネル支持体５の上下寸法よりも若干短寸の方形に形成され、その周縁には、後向きの縁片１０aが、一体的に連設され、かつ上部と下部には、縦長スリット状の通気孔３９が、左右方向に沿って多数形成されている。
また、上方寄りの左右両側部に穿設された横長の１対の開口４０、４０には、前面が開口するとともに、若干後ろ上方に湾曲する概ね前向きコ字状断面をなす合成樹脂製の把手４１、４１が嵌め込まれている。
【００４０】
前面パネル１０の後面の上端部には、側面視前向きコ字状断面の補強部材４２が、スポット溶接等により固着され、その後面の左右両端部には、上記左右の上部パネル支持部材６における係止爪２０に係合可能な係止手段、すなわち縦長スリット状の係合孔４３、４３が穿設されている。
また、前面パネル１０の後面の下端部には、両側端部が側面視概ねＳ字状断面をなす補強部材４４が、スポット溶接等により固着され、この補強部材４４における両側端部の上端には、上記左右の下部パネル支持部材７の係止溝２４に上方より係合可能な係止手段、すなわち下向係合片４４a、４４aが、一体的に形成されている。
【００４１】
前面パネル１０の後面における中央部よりもやや上方寄りの左端部(正面視においては右端部)、すなわち、物品取付部材８における右方の箱形突部２９と等高をなす位置には、シリンダ錠等の施錠装置４５が、キー差込み部４５aをパネル前面側に若干突出させて取付けられている。この施錠装置４５には、キーの施錠操作により内側方(図６において右方)に移動し、物品取付部材８の右方の箱形突部２９の施錠孔３１に進入可能なデッドボルト４６が、左右方向に移動可能に取付けられている。
【００４２】
左右の前面パネル１０は、その下端部の補強部材４４における左右両側部の下向係合片４４a、４４aを、左右の下部パネル支持部材７、７の係止溝２４に落とし込んで係合させ、かつ上端部の補強部材４２における左右１対の係合孔４３、４３を、左右の上部パネル支持部材６、６に設けた係止爪２０に係合させることにより、実質的にパネル支持体５に、その前面から前方に離間するようにして取付けられ、前面パネル１０とパネル支持体５との対向面間には、左右両側方と下方及び一部が上方に開口する前後幅の比較的大きな通線及び物品収容空間Ｓが形成される(図１、図４参照)。
【００４３】
前面パネル１０をパネル支持体５により支持した後、施錠装置４５をキーにより施錠操作すると、デッドボルト４５aが、物品取付部材８における箱形突部２９の施錠孔３１に突入して係合することにより、前面パネル１０は施錠され、パネル支持体５より取外し不能となる。
なお、前面パネル１０の取付後において、その上端の高さは、机１の天板面とほぼ等高、もしくは天板面よりも若干下位となり、机１で使用されるＯＡ機器等のケーブルを、上方より通線及び物品収容空間Ｓ内に引き込み易いようにしてある。
また、前面パネル１０の後面を、物品取付部材８の箱形突部２９及び配線ダクト９の前面と近接または当接させることにより、前面パネル１０が後方に撓んだり、凹んだりするのを防止することができる。
【００４４】
以上説明したように、第１の実施形態の間仕切りパネルにおいては、前面パネル１０を、パネル支持体５の前面より前方に離間させて取付け、それらの対向面間に、前後幅の比較的大きな通線及び物品収容空間Ｓを設けてあるため、この通線及び物品収容空間Ｓ内に、ＯＡ機器等のケーブルを大量に収容して配線したり、上述したルータＲ等の比較的大きな付属品を収容したりすることができる。
【００４５】
また、左右の上部パネル支持部材６は、配線トレーを兼ねており、かつその下方には配線ダクト９を設けてあるので、それらにケーブルやテーブルタップ等の電気器具を上下２段に載置して、左右方向に整然と配線することができる。しかも、両上部パネル支持部材６の対向面間と配線ダクト９には、それぞれ上下両方向に開口する配線挿通口２２，３８が形成されているので、机１等で使用されるＯＡ機器やルータＲ等のケーブルを、上下方向にも配線することができる。
【００４６】
さらに、前面パネル１０には、これをパネル支持体５から取外し不能とする施錠装置４５が設けられているので、通線及び物品収容空間Ｓ内に収容されるルータＲ等を、管理者以外の者が勝手に操作することができなくなり、セキュリテイが保たれる。
【００４７】
上記実施形態では、パネル支持体５の前面側にのみ、通線及び物品収容空間Ｓを設けたが、机１を、間仕切り２を挟んで背中合わせに設置する際等には、パネル支持体５の後面にも、上記実施形態と同一構造のパネル支持部材６、７を介してパネルを取付け、前後両面に通線及び物品収容空間Ｓを設けてもよい。この際には、前後の通線及び物品収容空間同士の少なくとも一部を連通させ、ケーブル等を前後方向にも配線しうるようにするのがよい。
【図面の簡単な説明】
【００４８】
【図１】机の後方に近接して設置される、本発明の間仕切りパネルの一実施形態を備える間仕切りの斜視図である。
【図２】同じく、右側の間仕切りパネルの前面パネルを取外した状態の間仕切りの正面図である。
【図３】同じく、間仕切りパネルの分解斜視図である。
【図４】同じく、間仕切りパネルの一部切欠き拡大側面図である。
【図５】図４のＡ部の詳細を示す拡大図である。
【図６】前面パネルの拡大後面図である。
【図７】図６のVII-VII線拡大縦断側面図である。
【符号の説明】
【００４９】
１    机
２    間仕切り
３    間仕切りパネル
４    目隠しパネル
５    パネル支持体
６    上部パネル支持部材
７    下部パネル支持部材
７a   取付片
７b   支持片
８    物品取付部材
９    配線ダクト
１０  前面パネル
１０a 縁片
１１  アジャスタ
１２  凹溝
１３  凹溝
１４  支柱
１５  横杆
１６  係合孔
１７  支持杆
１８  後面パネル
１９  係止部材
１９a 起立片
１９b 取付片
１９c 起立片
２０  係止孔
２１  ねじ
２２  配線挿通口
２３  ねじ
２４  係止溝
２５  補強杆
２６  基板
２７  係止爪
２８  係止部材
２９  箱形突部
３０  めねじ孔
３１  施錠孔
３２  取付孔
３３  止めねじ
３５  めねじ孔
３６  係止部材
３７  係止爪
３８  配線挿通口
３９  通気孔
４０  開口
４１  把手
４２  補強部材
４３  係合孔
４４  補強部材
４４a 下向係合片
４５  施錠装置
４５a キー差込み部
４６  デッドボルト
Ｓ    通線及び物品収容空間
Ｒ    ルータ
【図１】
2009019343.tif 000003
【図２】
2009019343.tif 000004
【図３】
2009019343.tif 000005
【図４】
2009019343.tif 000006
【図５】
2009019343.tif 000007
【図６】
2009019343.tif 000008
【図７】
2009019343.tif 000009